(57)【要約】【課題】取り外し可能なボイスコイルを有するオーディオスピーカー。【解決手段】ボイスコイル組立体（３５５）の一部にすることができる取り外し可能なボイスコイル（３２０）を有するオーディオスピーカー。損傷したボイスコイルの交換またはスピーカーシステムの再構成を容易にするために、ボイスコイルはユーザーが取外可能にすることができる。ボイスコイル組立体を正確に配置することによって、ボイスコイルに電流を供給する電気接続をボイスコイルとリードとの間にハンダを用いずに設けることができる。ある実施例では、ボイスコイルは振動板（３１０）の内側周方向表面にユーザーが取外可能に取り付けられている。他の実施例では、ボイスコイルは振動板（３１０）に接続され、ボイスコイル組立体（３５５）と振動板（３１０）の両方はフレーム（３７０）にユーザーが取外可能に取り付けられている。
2007503178.tif 000002
【特許請求の範囲】
【請求項１】
フレームと、
フレームに取り付けられた外側周方向表面と、内側周方向表面とを有する振動板と
振動板の内側周方向表面にユーザーが取外可能に取り付けられている、ボイスコイルを備えるボイスコイル組立体と
を備えるオーディオスピーカー。
【請求項２】
振動板とボイスコイル組立体との間に連結されたカラーをさらに備え、このカラーは、振動板の内側周方向表面に取り付けられた外側表面を有し、ボイスコイル組立体を着脱自在に受けるように構成されている請求項１に記載のオーディオスピーカー。
【請求項３】
ボイスコイル組立体が、ボイスコイルが巻き付けられた支持体をさらに備える請求項２に記載のオーディオスピーカー。
【請求項４】
ボイスコイル組立体がカラーの内側表面に取り付けられている請求項３に記載のオーディオスピーカー。
【請求項５】
カラーがボイスコイル組立体と滑動自在に係合するように構成されている請求項４に記載のオーディオスピーカー。
【請求項６】
磁極をさらに備え、カラーが磁極に対してセンタリングされた表面を有する請求項２に記載のオーディオスピーカー。
【請求項７】
ボイスコイル組立体が上記表面と機械的に接触し、ボイスコイルが磁極を中心にセンタリングされる請求項６に記載のオーディオスピーカー。
【請求項８】
カラーが締付機構を備える請求項２に記載のオーディオスピーカー。
【請求項９】
カラーが締付け具を受けるように構成されている請求項８に記載のオーディオスピーカー。
【請求項１０】
カラーがそれに取り付けられた電気接点を有する請求項９に記載のオーディオスピーカー。
【請求項１１】
締付け具をさらに備え、この締付け具がボイスコイルを電気接点に電気的に接続する請求項１０に記載のオーディオスピーカー。
【請求項１２】
締付機構がスナップ式嵌着機構またはプレス式嵌着機構の一方を備える請求項８に記載のオーディオスピーカー。
【請求項１３】
カラーが、電気接点に電気的に接続され、且つ、カラーと一体な導線を有する請求項１０に記載のオーディオスピーカーシステム。
【請求項１４】
ボイスコイル組立体が、カラーの内側表面に取り付けられ且つ支持体に取り付けられたインターフェース部材をさらに備える請求項４に記載のオーディオスピーカー。
【請求項１５】
インターフェース部材が、当該インターフェース部材に取り付けられた少なくとも一つの電気接点を有する請求項１４に記載のオーディオスピーカー。
【請求項１６】
インターフェース部材が、電気接点に電気的に接続され且つインターフェース部材と一体な導線を有する請求項１５に記載のオーディオスピーカーシステム。
【請求項１７】
カラーが振動板と一体化されている請求項２に記載のボイスコイル組立体。
【請求項１８】
振動板の内側表面に取り付けられるように構成されている外側表面と、ボイスコイルを含むボイスコイル組立体を着脱自在に受けるように、且つ、ボイスコイル組立体を所定のアラインメントに配置するように構成されている内側周方向表面とを有するカラーを備える、オーディオスピーカーに使用する装置。
【請求項１９】
カラーの内側表面がボイスコイル組立体と滑動自在に係合するように構成されている請求項１８に記載の装置。
【請求項２０】
内側表面が、ボイスコイルをオーディオスピーカーの磁極を中心にセンタリングするように構成されている請求項１８に記載の装置。
【請求項２１】
カラーに取り付けられ、且つ、ボイスコイル組立体に電気的に接続するように構成されている少なくとも一つの電気接点をさらに備える請求項１８に記載の装置。
【請求項２２】
少なくとも一つの電気接点に電気的に接続された導線をさらに備える請求項２１に記載の装置。
【請求項２３】
導線がカラーと一体化されており、且つ、リードと接触してボイスコイルに電流を供給するように構成されている請求項２２に記載の装置。
【請求項２４】
ボイスコイルと
ボイスコイルに取り付けられ、且つ、オーディオスピーカーのカラーに取り付けられるように構成されているインターフェース部材と
を具備しており、上記インターフェース部材は、カラーの表面に対して所定の位置で整合されて、着脱自在に受けられるように構成されている、
オーディオスピーカーに使用するボイスコイル組立体。
【請求項２５】
ボイスコイルが巻き付けられた支持体をさらに備え、支持体がインターフェース部材に連結されている請求項２４に記載のボイスコイル組立体。
【請求項２６】
支持体およびインターフェース部材が一体化されて単一部品を形成する請求項２５に記載のボイスコイル組立体。
【請求項２７】
ボイスコイル組立体がカラーに電気的に接続するように形成および配置された電気接点をさらに備える請求項２４に記載のボイスコイル組立体。
【請求項２８】
電気接点がインターフェース部材に取り付けられている請求項２７に記載のボイスコイル組立体。
【請求項２９】
ボイスコイル組立体をカラーに取り付けるために締付機構をさらに備える請求項２４に記載のボイスコイル組立体。
【請求項３０】
締付機構が締付け具を受けるように構成されている請求項２９に記載のボイスコイル組立体。
【請求項３１】
締付機構がスナップ式嵌着機構またはプレス式嵌着機構の一方を備える請求項２９に記載のボイスコイル組立体。
【請求項３２】
オーディオスピーカーが振動板を含み、カラーがこの振動板と一体化されている請求項２４に記載のボイスコイル組立体。
【請求項３３】
インターフェース部材が、少なくとも一つの電気接点に電気的に接続された少なくとも一つの導線を有し、この少なくとも一つの導線がインターフェース部材と一体化されている請求項２７に記載のボイスコイル組立体。
【請求項３４】
フレームと、
フレームに連結された振動板と、
振動板に連結されており、且つボイスコイル組立体を着脱自在に受けるように構成されているカラーと
を備えるオーディオスピーカー部分組立体。
【請求項３５】
カラーがボイスコイル組立体と滑動自在に係合するように構成されている請求項３４に記載のオーディオスピーカー部分組立体。
【請求項３６】
フレームに取り付けられた磁極をさらに備え、カラーが磁極に対してセンタリングされたセンタリング表面を有する請求項３４に記載のオーディオスピーカー部分組立体。
【請求項３７】
カラーが締付機構を備える請求項３４に記載のオーディオスピーカー部分組立体。
【請求項３８】
締付機構が締付け具を受けるように構成されている請求項３７に記載のオーディオスピーカー部分組立体。
【請求項３９】
締付機構が、ボイスコイル組立体を締め付けるように構成されているスナップ式嵌着機構またはプレス式嵌着機構の一方を備える請求項３７に記載のオーディオスピーカー部分組立体。
【請求項４０】
ボイスコイル組立体がボイスコイルを含み、カラーが、ボイスコイルと電気的に接続するように構成されている、カラーに取り付けられた少なくとも一つの電気接点を含む請求項３５に記載のオーディオスピーカー部分組立体。
【請求項４１】
カラーが、電気接点に電気的に接続され且つカラーと一体な導線を有する請求項４０に記載のオーディオスピーカー部分組立体システム。
【請求項４２】
カラーが振動板と一体化されている請求項３４に記載のボイスコイル組立体。
【請求項４３】
フレームと、
フレームに連結された振動板と、
ボイスコイルと、
ボイスコイルをカラーに着脱自在に取り付けるように形成および配置された締付機構を有する、振動板に連結されたカラーと
を備えるオーディオスピーカー。
【請求項４４】
ボイスコイルが支持体に巻き付けられ、ボイスコイル組立体を形成する請求項４３に記載のオーディオスピーカー。
【請求項４５】
カラーがボイスコイル組立体を着脱自在に受けるように構成されている請求項４４に記載のオーディオスピーカー。
【請求項４６】
カラーがボイスコイル組立体と滑動自在に係合するように構成されている請求項４５に記載のオーディオスピーカー。
【請求項４７】
オーディオスピーカーが音声が出てくる正面を有し、さらに、ボイスコイル組立体がオーディオスピーカーの正面から滑動して入る請求項４６に記載のオーディオスピーカー。
【請求項４８】
ボイスコイル組立体がカラーの内側表面と機械的に接触する請求項４５に記載のオーディオスピーカー。
【請求項４９】
磁極をさらに備え、カラーが磁極に対してセンタリングされた表面を有する請求項４４に記載のオーディオスピーカー。
【請求項５０】
ボイスコイル組立体が上記表面と接触し、ボイスコイルが磁極を中心にセンタリングされる請求項４９に記載のオーディオスピーカー。
【請求項５１】
締付機構が締付け具を含む請求項４３に記載のオーディオスピーカー。
【請求項５２】
締付け具がネジ、ボルト、だぼ、リベット、ピン、およびコッターピンの一つを含む請求項５１に記載のオーディオスピーカー。
【請求項５３】
締付け具がボイスコイルを電流源に電気的に接続する請求項５１に記載のオーディオスピーカー。
【請求項５４】
締付機構がスナップ式嵌着機構またはプレス式嵌着機構の一方を備える請求項４３に記載のオーディオスピーカー。
【請求項５５】
カラーがそれに取り付けられた少なくとも一つのカラー電気接点を有し、ボイスコイルが少なくとも一つのカラー電気接点に電気的に接続される請求項４３に記載のオーディオスピーカー。
【請求項５６】
カラーが、それと一体化され且つ少なくとも一つのカラー電気接点に電気的に接続された導線を有する請求項５５に記載のオーディオスピーカー。
【請求項５７】
ボイスコイルが支持体に巻き付けられてボイスコイル組立体を形成し、さらに、ボイスコイル組立体が支持体およびカラーに機械的に取り付けられたインターフェース部材をさらに備える請求項５５に記載のオーディオスピーカー。
【請求項５８】
インターフェース部材が少なくとも一つの電気接点を含み、インターフェース部材電気接点がボイスコイルおよびカラー電気接点と電気的に接続される請求項５７に記載のオーディオスピーカー。
【請求項５９】
インターフェース部材が、少なくとも一つのインターフェース部材電気接点に電気的に接続された、インターフェース部材と一体な導線を有する請求項５８に記載のオーディオスピーカー。
【請求項６０】
ボイスコイルと、
ボイスコイルに取り付けられ且つオーディオスピーカーに取り付けられるように構成されているインターフェース部材と
を備え、上記インターフェース部材は、
磁石および磁極に対して所定の位置に整合されて、着脱自在に受けられるように構成されている、
磁石および磁極を有するオーディオスピーカーに使用するボイスコイル組立体。
【請求項６１】
ボイスコイルが巻き付けられた支持体をさらに備え、この支持体がインターフェース部材に接続されている請求項６０に記載のボイスコイル組立体。
【請求項６２】
支持体およびインターフェース部材が一体化されて単一部品を形成する請求項６１に記載のボイスコイル組立体。
【請求項６３】
ボイスコイル組立体が増幅器に電気的に接続するように形成および配置された電気接点をさらに備える請求項６０に記載のボイスコイル組立体。
【請求項６４】
電気接点がインターフェース部材に取り付けられている請求項６３に記載のボイスコイル組立体。
【請求項６５】
ボイスコイル組立体をオーディオスピーカーに取り付けるために締付機構をさらに備える請求項６０に記載のボイスコイル組立体。
【請求項６６】
締付機構が締付け具を受けるように構成されている請求項６５に記載のボイスコイル組立体。
【請求項６７】
締付機構がスナップ式嵌着機構またはプレス式嵌着機構の一方を備える請求項６５に記載のボイスコイル組立体。
【請求項６８】
オーディオスピーカーが振動板に接続されたカラーを含み、インターフェース部材がカラーに取り付けられるように構成されている請求項６０に記載のボイスコイル組立体。
【請求項６９】
インターフェース部材が、少なくとも一つの電気接点に電気的に接続された少なくとも一つの導線を有し、この少なくとも一つの導線がインターフェース部材と一体化されている請求項６３に記載のボイスコイル組立体。
【請求項７０】
フレームおよびボイスコイル取付部を備えるスピーカー部分組立体と、
フレームに取り付けられた外側周方向表面を有する振動板と、
ボイスコイルを備え、且つ振動板に連結されたボイスコイル組立体と
を備え、ボイスコイル組立体と振動板の両方がユーザーが取外可能にスピーカー部分組立体に取り付けられているオーディオスピーカー。
【請求項７１】
振動板とボイスコイル組立体とが互いに連結されている請求項７０に記載のオーディオスピーカー。
【請求項７２】
ボイスコイル組立体が、振動板と支持体とが連結されている支持体をさらに備える請求項７１に記載のオーディオスピーカー。
【請求項７３】
振動板とボイスコイル組立体とが一体化されている請求項７１に記載のオーディオスピーカー。
【請求項７４】
ボイスコイル取付部がスパイダーによって支持されている請求項７０に記載のオーディオスピーカー。
【請求項７５】
フレームと、フレームに取り付けられ且つ磁界を有する磁石と、フレームに取り付けられた振動板と、電流源に電気的に接続するためのリードと、振動板に連結されたカラーとを具備しており、上記カラーが、ボイスコイルを有するボイスコイル組立体を着脱自在に受け且つボイスコイルを磁石の磁界中に維持するように構成されている、オーディオスピーカーの組立方法であって、
ボイスコイル組立体をユーザーが取り外せるような方法でボイスコイル組立体をカラーに取り付けることを含む方法。
【請求項７６】
ボイスコイル組立体をカラーに取り付ける動作によってボイスコイルとリードとの間の電気的接続が完了する請求項７５に記載のオーディオスピーカー。
【請求項７７】
締付け具をボイスコイル組立体およびカラーに使用する動作をさらに含む請求項７５に記載の方法。
【請求項７８】
締付け具を使用する動作によってボイスコイルとリードとの間の電気的接続が完了する請求項７６に記載の方法。
【請求項７９】
ボイスコイルを取付ける動作によってボイスコイルが磁極を中心にセンタリングされる請求項７６に記載の方法。
【請求項８０】
ボイスコイルを取り付ける動作がボイスコイルを磁極を中心にセンタリングする締付け具を使用することを含む請求項７５に記載の方法。
【請求項８１】
フレームと、フレームに取り付けられ且つ磁界を有する磁石と、フレームに取り付けられた振動板と、電流源に電気的に接続するためのリードと、振動板に連結されたカラーとを備え、上記カラーが、第１ボイスコイルを含む第１ボイスコイル組立体に着脱自在に取り付けられ、第１ボイスコイルが磁石の磁界中に維持され、さらに、オーディオスピーカーが増幅器に電気的に接続されるように構成されている、オーディオスピーカーを供給する方法であって、
このボイスコイル組立体を振動板を破壊せずにカラーから取り外し、
さらに第２ボイスコイルを振動板に取り付ける
ことを含む方法。
【請求項８２】
ボイスコイル組立体をカラーに取り付ける動作によってボイスコイルとリードとの間の電気的接続が完了する請求項８１に記載の方法。
【請求項８３】
締付け具をボイスコイル組立体およびカラーに使用する動作をさらに含む請求項８１に記載の方法。
【請求項８４】
締付け具を使用する動作によってボイスコイルとリードとの間の電気的接続が完了する請求項８１に記載の方法。
【請求項８５】
ボイスコイルを連結する動作によってボイスコイルが磁極を中心にセンタリングされる請求項８１に記載の方法。
【請求項８６】
第２オーディオスピーカーを第１オーディオスピーカーに電気的に接続することをさらに含み、第１オーディオスピーカーおよび第２オーディオスピーカーは互いに電気的に接続され、第１オーディオスピーカーおよび第２オーディオスピーカーは増幅器に電気的に接続されるように構成されている請求項８１に記載の方法。
【請求項８７】
第１オーディオスピーカーおよび第２オーディオスピーカーが互いに電気的に直列接続されている請求項８１に記載の方法。
【請求項８８】
第１オーディオスピーカーおよび第２オーディオスピーカーが互いに電気的に並列接続されている請求項８１に記載の方法。
【発明の詳細な説明】
【技術分野】
【０００１】
本発明は、ボイスコイル作動式のオーディオスピーカー、特に取り外し可能なボイスコイルを有するボイスコイル作動式オーディオスピーカーに関するものである。
【背景技術】
【０００２】
従来の多くのオーディオスピーカー（ここでは簡単にスピーカーともよぶ）にはボイスコイルによって作動する振動板が含まれている。例えば、低周波音響変換器（すなわち低音拡声器）は一般にこのようなボイスコイル作動式振動板で構成されている。図１はボイスコイル１２２を用いて作動可能な振動板１１０を有する従来のオーディオスピーカー１００の側断面図である。ボイスコイル１２２は支持体１２４に巻き付けられたワイヤを備える。ボイスコイルおよび支持体はボイスコイル組立体１２０を構成する。
【０００３】
オーディオスピーカー１００はインピーダンス定格を有するボイスコイル駆動システムを含んでいる。この駆動システムは増幅器１１２、および電流信号を増幅器からボイスコイル１２２へ供給するためのリード１３０で構成される。ボイスコイル１２２は磁石１４０および磁極１５０によって発生する磁界中に維持され、ボイスコイル１２２および振動板１１０は電流信号に応答して作動するようになっている。振動板１１０の作動によって音声出力が行われる。ボイスコイル１２２はこの駆動システムでの使用に適したインピーダンスを有する。
【０００４】
スパイダー１６０（一般にサスペンション乃至はダンパーとも呼ばれる）は振動板１１０を作動後および作動中にその初期位置に戻すように動作し、フレーム１７０が振動板１１０を支持する。フレーム１７０は周辺部（エッジ）１８０を用いて振動板１１０に連結されている。ボイスコイル１２２を保護するためにダストキャップ１９０が設けられている。
【０００５】
スピーカーシステム１００のような従来のスピーカーシステムの組立体は一般に、正確な組立段階を実行する必要があり、その段階の多くは完了するのに特別な工具が必要となる。図２は部分的に組み立てられたスピーカーシステム１００’（図１に示すダストキャップ１９０が取り外されている）の側断面図である。組立中に、磁極１５０とボイスコイル組立体１２０との間のギャップ８１を正確に維持するためにギャップアラインメント装置２１０を配置し、一方で、振動板１１０がボイスコイル組立体１２０に（１１２の位置で）取り付けられ、周辺部（エッジ）１８０がフレーム１７０に（１７２の位置で）取り付けられ、スパイダー１６０がフレーム１７０（１６２の位置で）および振動板１１０（またはコイル組立体１２０）に取り付けられる。
【０００６】
オーディオスピーカーの寿命期間中に各取付け状態を確実に維持するために、取付けはそれぞれエポキシ樹脂のような永久接着剤を用いて行われる。接着剤が硬化した後に、ギャップアラインメント装置２１０を取り外し、ダストキャップ１９０（図１に示す）を定位置に固定する。得られた構造では、ボイスコイル組立体１２０が磁極１５０を中心にセンタリングされる（すなわちギャップ８１が磁極１５０を中心に均一になる）ようにボイスコイル組立体１２０がフレーム１７０に支持されている。従って、スピーカーシステム１００’の次の動作中（すなわちボイスコイル組立体１２０および振動板１１０の作動中）に、ボイスコイル組立体１２０は磁極１５０から機械的に干渉されずに移動する。
【０００７】
スピーカーシステム１００’の組立時の別の問題は、ボイスコイルが正確に作動するように、増幅器１１３とボイスコイル１２２との間で適切な電気的接続を行うことである。例えば、電気的接続は正確なインピーダンスを有していなければならない。正確なインピーダンスを得るためには、一般に、リード１３０が適切な材料で作られ、正確な長さを有し、しかも、ボイスコイル１２２の端に正確にハンダ付けされなければならない。
【０００８】
一般的な用途では、ボイスコイルの損傷は、図１のオーディオスピーカーシステム１００のようなボイスコイル作動式スピーカーシステムのよくある故障原因である。ボイスコイルの損傷は急性（すなわち過剰な電流の一回の発生によって起こる）、累積的（すなわち寿命期間中の過剰な駆動電流によって起こる）、またはその両方が組み合わさった損傷になることがある。
【０００９】
ボイスコイルの損傷が故障のよくある原因であるにもかかわらず、ボイスコイル１２２（またはボイスコイル組立体１２０）を交換する便利な方法はまだない。スピーカーに恒久的に取り付けられた一つまたは複数の部品であって、一部または全部がプロセス中に損傷する可能性がある部品を取り外す必要性、および、正確な組立段階および上記のように特殊工具を用いてオーディオスピーカー（新しいボイスコイルを有する）を再組立する必要性によって、交換は複雑になっている。このように複雑であるため、損傷したボイスコイルを有するオーディオスピーカーを修理するためには、スピーカーシステムをスピーカー修理店に持って行くか、そうでなければ、必要な工具や技術を持っている技術者に修理してもらう必要がある。
【００１０】
さらに、多くの場合、損傷したスピーカーを修理店に持って行くというプロセスでさえ不便である。例えば、多くの従来のシステムは備品（例えば、建物の壁または天井、または車のダッシュボード、リアデッキまたはドア）に取り付けられており、損傷したスピーカーシステムを修理する前に備品から取り外す必要があることもある。上記の理由から、損傷したボイスコイルを有するスピーカーの修理には多くの労力、ダウンタイム（故障などのための不稼働時間）、および／または費用が必要となる。
【発明の開示】
【発明が解決しようとする課題】
【００１１】
本発明の目的は、着脱自在に取り付けられたボイスコイルを有するオーディオスピーカーを提供せんとするものである。着脱自在に取り付けられたボイスコイルはユーザーが取り外すことができるので、損傷したオーディオスピーカーシステムを最小の労力、ダウンタイムおよび／または費用でユーザーが交換することができる。「取り外し可能（着脱自在）」という用語は本明細書では、取り外す部品を損傷せずに且つその他の部品を損傷せずに外すことができることを意味するが、取外し時に損傷してもよい犠牲付属装置の使用を除外するものではない。「ユーザーが取り外せる」という用語は本明細書では特殊工具を用いずに取り外せることを意味する。例えば、ドライバー、ペンチ、および、金槌は特殊工具ではない。「ユーザーが交換できる」という用語はギャップアラインメント装置、ハンダ付け装置、接着剤硬化用の加熱装置または接着剤硬化用の化学的活性剤のような特殊工具を使用せずに取外しおよび組立可能であることを意味する。
【００１２】
例えば、本発明の１つの目的は、フレーム、フレームに取り付けられた外側周方向表面を有する振動板、およびボイスコイルを備えるボイスコイル組立体を備え、ボイスコイル組立体がユーザーが取外可能にフレームに取り付けられているオーディオスピーカーが提供せんとするものである。ある実施例では、ボイスコイル組立体が振動板の内側周方向表面にユーザーが取外可能に取り付けられている。他の実施例では、ボイスコイル組立体が振動板に連結され、ボイスコイル組立体と振動板の両方がユーザーが取外可能にフレームに取り付けられている。
【００１３】
本発明の別の目的は、着脱自在に取り付けられたボイスコイルを有する（損傷していない）オーディオスピーカーの再構成可能性を実現せんとするものである。着脱自在に取り付けられたボイスコイルを有するスピーカーの再構成可能性によって、第１ボイスコイルを取り外して第２ボイスコイルと交換するプロセスが単純化され、スピーカーの汎用性が高まる。例えば、所定のオーディオスピーカーの寿命期間中に、種々のインピーダンスを有するボイスコイルを使用するのが望ましい。
【００１４】
本発明のさらに別の特徴によるならば、着脱自在に取り付けられたボイスコイルを有する一つまたは複数のオーディオスピーカーで構成されるスピーカーシステムの再構成可能性が実現される。例えば、駆動システムと、駆動システムによって駆動される第１オーディオスピーカーとを有するスピーカーシステムを、やはり駆動システムによって駆動される第２オーディオスピーカーを追加することによって再構成するのが望ましい。第２オーディオスピーカーを追加することによって、第１オーディオスピーカーと第２オーディオスピーカーのインピーダンスの合計が駆動システムでの使用に適するように、第１オーディオスピーカーのボイスコイルを異なるインピーダンスを有する別のボイスコイルと交換することが必要、あるいは、望ましくなる。
【００１５】
ボイスコイルの取外し可能性の特徴によって、（種々のインピーダンスを有する）ボイスコイルを揃えるとともに、構成可能なスピーカー部分組立体（例えばボイスコイル以外の全てを含むスピーカーシステム）を保持することができるので、（例えばメーカー、卸売業者、小売業者またはエンドユーザーによって）完全に組み立てられたスピーカーシステムの在庫を減らすことができることも理解できよう。スピーカーの用途に応じて所望のボイスコイルインピーダンスを選択した後に、選択されたインピーダンスを有するボイスコイルを、選択されたスピーカー部分組立体に追加することができる。このような方法によって必要な空間を減らすことができ、さらに、在庫の金額換算額を減らすことができる。
【課題を解決するための手段】
【００１６】
本発明の第１の特徴によれば、フレーム、フレームに取り付けられた外側周方向表面と、内側周方向表面とを有する振動板、およびボイスコイルを備えるボイスコイル組立体であって、振動板の内側周方向表面にユーザーが取外可能に取り付けられているボイスコイル組立体を備えるオーディオスピーカーを提供するものである。ある実施例では、オーディオスピーカーは振動板とボイスコイル組立体との間に連結されたカラーをさらに備え、このカラーは振動板の内側周方向表面に取り付けられた外側表面を有し、ボイスコイル組立体を着脱自在に受けるように構成されている。ボイスコイル組立体はボイスコイルが巻き付けられた支持体をさらに備えることができる。
【発明を実施するための最良の形態】
【００１７】
ある実施例では、ボイスコイル組立体がカラーの内側表面に取り付けられる。必要に応じて、カラーはボイスコイル組立体と滑動自在に係合するように構成させることができる。ある実施例では、オーディオスピーカーが磁極をさらに備え、カラーは磁極に対してセンタリングされた表面を有する。さらに、ボイスコイル組立体はボイスコイルが磁極を中心にセンタリングされるように、内側表面と機械的に接触することができる。
【００１８】
ある実施例では、カラーは締付機構を備える。このような実施例では、カラーは締付け具を受けるように構成させることができる。ある実施例では、締付機構がスナップ式嵌着機構またはプレス式嵌着機構の一方を備え、別途、締付け具は必須ではない。
【００１９】
必要に応じて、カラーはそれに取り付けられた電気接点を有する。ある実施例では、締付け具がボイスコイルを電気接点に電気的に接続する。ある実施例では、カラーは、電気接点に電気的に接続され且つカラーと一体な導線を備える。カラーは振動板と一体化させることができる。
【００２０】
ボイスコイル組立体は、カラーの内側表面に取り付けられ且つ支持体に取り付けられたインターフェース部材（連結部材）をさらに備えることができる。必要に応じて、インターフェース部材はそれに取り付けられた少なくとも一つの電気接点を有する。インターフェース部材は、電気接点に電気的に接続され且つインターフェース部材と一体な導線を有することができる。
【００２１】
本発明の別の特徴によるならば、振動板の内側表面に取り付けられるように構成されている外側表面と、ボイスコイルを含むボイスコイル組立体を着脱自在に受けるように、且つ、ボイスコイル組立体を所定のアラインメントに配置するように構成されている内側周方向表面とを有するカラーを備える、オーディオスピーカーに使用する装置が提供される。ある実施例では、カラーの内側表面がボイスコイル組立体と滑動自在に係合するように構成させることができる。必要に応じて、内側表面はボイスコイルをオーディオスピーカーの磁極を中心にセンタリングするように構成されている。上記装置はカラーに取り付けられ且つボイスコイル組立体に電気的に接続するように構成されている少なくとも一つの電気接点を備えることもできる。上記装置は少なくとも一つの電気接点に電気的に接続された導線を含むこともできる。導線はカラーと一体化させることができ、且つ、リードと接触してボイスコイルに電流を供給するように構成させることができる。
【００２２】
本発明の別の特徴によるならば、ボイスコイル、および、ボイスコイルに取り付けられ且つオーディオスピーカーのカラーに取り付けられるように構成されているインターフェース部材（連結部材）を備え、インターフェース部材が着脱自在に受けられるように構成され且つカラーの表面に対して所定の位置で整合される、オーディオスピーカーに使用するボイスコイル組立体が提供される。ボイスコイル組立体はボイスコイルが巻き付けられた支持体であって、インターフェース部材に連結された支持体をさらに備えることができる。支持体およびインターフェース部材は一体化されて単一部品を形成することができる。ボイスコイル組立体はカラーに電気的に接続するように形成および配置された電気接点をさらに備えることができる。ある実施例では、電気接点がインターフェース部材に取り付けられている。
【００２３】
ある実施例では、ボイスコイル組立体はボイスコイル組立体をカラーに取り付けるために締付機構をさらに備えることができる。必要に応じて、締付機構は締付け具を受けるように構成されている。変形例では、締付機構がスナップ式嵌着機構またはプレス式嵌着機構の一方を備えることができる。ある実施例では、オーディオスピーカーはカラーと一体化されている振動板を含んでいる。インターフェース部材（連結部材）は、少なくとも一つの電気接点に電気的に接続された少なくとも一つの導線を有することができ、この少なくとも一つの導線がインターフェース部材と一体化されている。
【００２４】
本発明の別の特徴によるならば、フレーム、フレームに連結された振動板、および振動板に連結されたカラーを備え、このカラーはボイスコイル組立体を着脱自在に受けるように構成されているオーディオスピーカー部分組立体が提供される。
【００２５】
本発明のさらに別の特徴によるならば、フレーム、フレームに連結された振動板、ボイスコイル、および振動板に連結されたカラーを備え、このカラーが、ボイスコイルをカラーに着脱自在に取り付けるように形成および配置された締付機構を有するオーディオスピーカーが提供される。ボイスコイルは支持体に巻き付けられ、ボイスコイル組立体を形成することができる。カラーはボイスコイル組立体を着脱自在に受けるように構成させることができる。ある実施例では、カラーがボイスコイル組立体と滑動自在に係合するように構成されている。ある実施例では、オーディオスピーカーが音声が出てくる正面を有し、さらに、ボイスコイル組立体がオーディオスピーカーの正面から滑動して入る。
【００２６】
本発明の別の特徴によるならば、ボイスコイル、およびボイスコイルに取り付けられ且つオーディオスピーカーに取り付けられるように構成されているインターフェース部材（連結部材）を備え、インターフェース部材が着脱自在に受けられるように構成され且つ磁石および磁極に対して所定の位置に整合されている、磁石および磁極を有するオーディオスピーカーに使用するボイスコイル組立体が提供される。ある実施例では、ボイスコイル組立体が、ボイスコイルが巻き付けられた支持体をさらに備え、この支持体がインターフェース部材に接続されている。ボイスコイル組立体は増幅器に電気的に接続するように形成および配置された電気接点をさらに備えることができる。ある実施例では、ボイスコイル組立体はボイスコイル組立体をオーディオスピーカーに取り付けるために締付機構をさらに備える。必要に応じて、締付機構は締付け具を受けるように構成されている。変形例では、締付機構がスナップ式嵌着機構またはプレス式嵌着機構の一方を備えることができる。
【００２７】
本発明の別の特徴によるならば、フレームおよびボイスコイル取付部を備えるスピーカー部分組立体、フレームに取り付けられた外側周方向表面を有する振動板、およびボイスコイルを備えるボイスコイル組立体であって振動板に連結されたボイスコイル組立体を備え、ボイスコイル組立体と振動板の両方がユーザーが取外可能にスピーカー部分組立体に取り付けられているオーディオスピーカーが提供される。
【００２８】
本発明の別の特徴によるならば、フレームおよびボイスコイル取付部を備えるスピーカー部分組立体、フレームに取り付けられた外側周方向表面を有する振動板、およびボイスコイルを備えるボイスコイル組立体であって振動板に連結されたボイスコイル組立体を備え、ボイスコイル組立体と振動板の両方がユーザーが取外可能にスピーカー部分組立体に取り付けられているオーディオスピーカーが提供される。ある実施例では、振動板とボイスコイル組立体とが互いに連結されている。ある実施例では、ボイスコイル組立体が、振動板と支持体とが連結されている支持体をさらに備える。必要に応じて、振動板とボイスコイル組立体とが一体化されている。ある実施例では、ボイスコイル取付部がスパイダーによって支持されている。
【００２９】
本発明の別の特徴によるならば、フレーム、フレームに取り付けられ且つ磁界を有する磁石、フレームに取り付けられた振動板、電流源に電気的に接続するためのリード、および、振動板に連結されたカラーを備え、カラーがボイスコイルを有するボイスコイル組立体を着脱自在に受け且つボイスコイルを磁石の磁界中に維持するように構成されている、オーディオスピーカーの組立方法であって、ボイスコイル組立体をユーザーが取り外せるような方法でボイスコイル組立体をカラーに取り付けることを含む方法が提供される。ボイスコイル組立体をカラーに取り付ける動作によってボイスコイルとリードとの間の電気的接続を完了することができる。ある実施例では、締付け具をボイスコイル組立体およびカラーに使用する動作をさらに含む。締付け具を使用する動作によってボイスコイルとリードとの間の電気的接続を完了することができる。必要に応じて、ボイスコイルを取付ける動作によってボイスコイルが磁極を中心にセンタリングされる。ある実施例では、ボイスコイルを取り付ける動作がボイスコイルを磁極を中心にセンタリングする締付け具を使用することを含む。
【００３０】
本発明の別の特徴によるならば、フレーム、フレームに取り付けられ且つ磁界を有する磁石、フレームに取り付けられた振動板、電流源に電気的に接続するためのリード、および、振動板に連結されたカラーを備え、カラーが第１ボイスコイルを含む第１ボイスコイル組立体に着脱自在に取り付けられ、第１ボイスコイルが磁石の磁界中に維持され、さらに、オーディオスピーカーが増幅器に電気的に接続されるように構成されているオーディオスピーカーを修理する方法であって、このボイスコイル組立体を振動板を破壊せずにカラーから取り外し、さらに第２ボイスコイルを振動板に取り付けることを含む方法が提供される。ボイスコイル組立体をカラーに取り付ける動作によってボイスコイルとリードとの間の電気的接続を完了することができる。
【００３１】
ある実施例では、上記の方法は締付け具をボイスコイル組立体およびカラーに使用する動作をさらに含む。締付け具を使用する動作によってボイスコイルとリードとの間の電気的接続を完了することができる。ボイスコイルを連結する動作によってボイスコイルを磁極を中心にセンタリングすることができる。
【００３２】
ある実施例では、上記方法は第２オーディオスピーカーを第１オーディオスピーカーに電気的に接続することをさらに含み、第１オーディオスピーカーおよび第２オーディオスピーカーは互いに電気的に接続され、第１オーディオスピーカーおよび第２オーディオスピーカーは増幅器に電気的に接続されるように構成されている。必要に応じて、第１オーディオスピーカーおよび第２オーディオスピーカーは互いに電気的に直列接続することができる。変形例では、第１オーディオスピーカーおよび第２オーディオスピーカーは互いに電気的に並列接続することができる。
【００３３】
添付図面の縮尺は正確ではない。図面において、同様な部品はそれぞれ同様な参照番号で表す。図を明瞭にするために、全ての図面において全ての部品に参照番号が付けられているとは限らない。
【実施例】
【００３４】
図３Ａは本発明による着脱自在に取り付けられたボイスコイル３２０を有するオーディオスピーカー３００の一実施例の側断面図である。オーディオスピーカー３００は振動板３１０、磁石３４０、磁極３５０、スパイダー３６０、フレーム３７０、およびボイスコイル組立体３５５を備える。（ボイスコイル組立体３５５は以下で説明する図４におけるオーディオスピーカー３００の残りの部分から切り離して示す。）フレーム３７０、スパイダー３６０、磁極３５０、および磁石３４０は従来の部品にすることができ、従来の方法で動作することができる。「取付け」という用語は本明細書では、第１の物体と第２の物体とを互いに取り付ける直接的な取付け、および、第１の物体と第２の物体とを一つまたは複数の中間の物体を用いて互いに取り付ける間接的な取付けと定義する。
【００３５】
振動板３１０は周辺部（エッジ）３８０を介して従来の方法でフレーム３７０に取り付けられた外側周方向表面３１２と、カラー３２５に取り付けられた内側周方向表面３１４とを有する。振動板３１０はカラー３２５に取り付けることができる、音声出力を行うのに適した任意の振動板にすることができる。
カラー３２５は振動板３１０に取り付けられ、且つ、ボイスコイル組立体３５５に着脱自在に取り付けられている。特に、ボイスコイル組立体３５５が動作可能位置に入るように、カラー３２５の表面３２７はボイスコイル組立体３５５と滑動自在に係合するように構成されている。
【００３６】
カラー３２５は取り付けられたボイスコイル組立体３５５が磁極３５０および磁石３４０に対してセンタリングされるように形成されるのが好ましい。従って、表面３２７を磁極３５０に対してセンタリングすることができる。ある実施例、例えば図３Ａに示すスピーカーシステム３００では、センタリング表面３２７は表面３２７のような、カラー３２５の内側表面である。しかし、本発明はこれに限定されるものではなく、ボイスコイル３２０を磁極３５０および／または磁石３４０に対してセンタリングするのに適した任意の表面を用いることができる。例えば、カラーはボイスコイル３５５の指部（図示せず）が中を通って突き出る複数の孔（図示せず）を有することができ、指部の内側表面がカラーの外側表面と接触するようにする。
【００３７】
カラー３２５は締付機構３２９（以下で説明する図３Ｂの拡大図にも示されている）を有している。締付機構３２９は、カラー３２５とボイスコイル組立体３５５とが互いに締め付けられるように、ボイスコイル組立体３５５上の締付機構３５９と協働する雄または雌の締付機構にすることができる。図示した実施例では、締付機構３２９および締付機構３５９は締付け具３１５を取り付けるための孔である。締付け具３１５はボイスコイル組立体３５５をカラー３２５に着脱自在な方法で機械的に締め付けている。例えば、締付け具３１５はネジ、ボルト、リベット、だぼ、ピン、およびコッターピン等にすることができる。しかし、本発明は締付け具のこのような使用に限定されるものではなく、ボイスコイル組立体３５５をカラー３２５に取り付けるのに適した任意の締付技術を用いることができる。
【００３８】
例えば、ある実施例では、ボイスコイル組立体３５５がカラー３２５にプレス式で係合されるように、締付機構を寸法の小さい直径Ｄｃ（すなわち、直径Ｄｃは表面３２８の直径ｄＭに対して寸法が小さい）のセンタリング表面３２７で構成することができる。変形例では、締付機構によってボイスコイル組立体３５５をカラー３２５にスナップ式で係合することができる。スナップ式の実施例では、締付機構が脚部（図示せず）またはカラー３２５をボイスコイル組立体３５５にスナップ式で係合するのに適した他のスナップ式嵌着機構を含むことができる。変形例では、締付機構を、適当に配置された端３５３またはボイスコイル組立体３５５上のスナップ式脚部（図示せず）を取り付けることができる他の機構にすることができる。カラー３２５および振動板３１０は任意の適した技術を用いて（例えばエポキシ樹脂のような接着剤を塗布することによって）互いに締め付けられた別体の部品にすることができるが、ある実施例では、カラー３２５が振動板３１０と一体化して単一部品を形成している。
【００３９】
カラー３２５は、ボイスコイル組立体３５５が正確に配置されるときに、電気接点３２６がボイスコイル３２０とリード３３０との間の電気的接続を完了するように、電気接点（図３Ｂの拡大図にも示される）を含む。ある実施例では、ボイスコイルを電気的に極性を区別することができ、従って、カラー３２５上の接点３２６のうちの選択された１つとボイスコイル組立体３５５上の接点３５６のうちの選択された１つとの間に電気的接続が存在するように、ボイスコイル組立体３５５をカラー３２５に対して選択的に方向決定することが必要となる。このような実施例では、アラインメントを達成するのに適した任意のアラインメント機構を用いることができる。例えば、カラー３２５はボイスコイル組立体の選択された向きを可能にするために、ボイスコイル組立体３５５上の突出部（図示せず）と協働するための溝（図示せず）を有することができる。
【００４０】
ボイスコイル組立体３５５はボイスコイル３２０、ボイスコイル３２０が巻き付けられた支持体３２２、およびインターフェース部材（連結部材）３５７を含む。インターフェース部材３５７はカラー３２５の表面３２７と対向する表面３２８を有する。表面３２７は表面３２８と接触し、ボイスコイル組立体３５５を磁極３５５および／または磁石３８０に対してセンタリングすることができる。変形例では、締付け具３１５はボイスコイル組立体３５５を磁極３５５および／または磁石３８０に対してセンタリングすることができ、従ってセンタリング表面３２７と表面３２８との間の接点は必要なくなる。
【００４１】
インターフェース部材３５７はカラー３２５に着脱自在に取り付けられるように構成されている任意の適当な構造にすることができる。ある実施例では、この取付けによってボイスコイル３２０を磁極３５５および／または磁石３４０とともにセンタリングされる。ある実施例では、インターフェース部材３５７が領域３５２にわたって完全な表面を形成するようにダストカバーの役目をする。インターフェース部材３５７および支持体３２２は任意の適した技術を用いて（例えばエポキシ樹脂のような接着剤を塗布することによって）互いに締め付けられた別体の部品にすることができるが、ある実施例では、インターフェース部材３５７が支持体３２２と一体化して単一部品を形成している。
【００４２】
既に述べたように、ボイスコイル組立体３５５はボイスコイル組立体３５５をカラー３２５に着脱自在に締め付けるために締付機構３５９を含むことができる。締付機構３５９はカラー３２５上の締付機構３２９と協働することができる。
【００４３】
ボイスコイル３２０はリード３３０（例えば従来の金糸またはスズメッキリード）を介して電流源（図示せず）に電気的に接続され、振動板３１０を作動するのに適した電流信号を供給している。ある実施例では、ボイスコイル組立体３５５は、ボイスコイル３２０の端で端子３５１と電気的に接続するために、支持体３２２と一体な導線３５８を有する。カラー３２５はリード３３０を接点３２６に電気的に接続するための導線３２４を有する。図示した実施例では、導線３２４はカラー３２５と一体化され且つカラー３２５を貫通しているが、本発明はこれに限定されるものではない。従って、ボイスコイル組立体３５５がカラー３２５に対して正確に配置される時に、ボイスコイル３２０とリード３３０との間の電気的接続が成立する。
【００４４】
リード３３０、導線３２４、接点３２９、接点３５９および導線３５８はいずれも選択されたインピーダンスを有するように構成することができ、これらの部品のインピーダンスの合計が選択された値を有するようになっていることは理解できよう。さらに、部品の材料または寸法を適切に選択することによって、または任意の他の適した技術を用いることによって、これらの部品のいずれかのために選択されたインピーダンスを達成することができる。
【００４５】
図示した実施例における接点３２６と接点３５６との間の電気的接続はハンダを用いない単純な機械的接触によって成立することは理解できよう。さらに、図示した実施例では、電気的接続全体とボイスコイルとを組み合わせたインピーダンスが決定されるように、リード３３０ならびにライン３２４および３５８の長さが固定されている。その結果、ボイスコイル組立体３５５をカラー３２５に取り付けることができ、特定のインピーダンスを有するリードを選択および／またはハンダ付けしなくても、適したインピーダンスを確実に得ることができ、電気的接続の全体のインピーダンスが満たされる。
【００４６】
ある実施例では、締付け具３１５を導電性にすることができ、且つ、締付け具が接点３２６と接点３５６との間の電気的接続を完了するように形成および配置することができる。このような実施例では、ボイスコイル組立体３５５を正確に配置することによって、締付け具３１５が使用されるまでは、カラー３２５との電気的接続を成立させることはできない。各締付け具３１５は導線３２４と導線３５８とを接続する。
【００４７】
ボイスコイル３２０および磁石３４０が振動板の後方にある標準的なスピーカーシステムを参照して取り外し可能なボイスコイルを説明したが、磁石およびボイスコイルが振動板の前方に配置された逆のスピーカーシステムでも本発明を実施できることは理解できよう。
【００４８】
図３Ｂは図３ＡのＡ領域の拡大側断面図である。図３Ｂはリード３３０とボイスコイル３２０（図３Ａに示す）との間の連続的な電気的接続を示している。この接続は導線３２４、接点３２９、導線３５８、および接点３５６を含む。
【００４９】
図示した実施例では、締付け具３１５がボイスコイル組立体３５５を磁極３５０および磁石３４０（両方とも図３Ａに示す）に対してセンタリングするので、ボイスコイル組立体３５５の表面３２８およびカラー３２５の表面３２７は密着していない。しかし、上述のように、ある実施例では、表面３２８とセンタリング表面３２７とが互いに接することができる（例えば、ボイスコイル組立体３５５をカラー３２５に取り付けるためにこれらの表面を互いにプレス式で係合することができ、および／または、ボイスコイル組立体３５５を磁極３５０および／または磁石３４０に対してセンタリングするために表面間の接触を用いることができる）。
【００５０】
図４は本発明による着脱自在に取り付けられたボイスコイル３２０を有するオーディオスピーカー３００の組立側断面図である。ボイスコイル組立体３５５はオーディオスピーカー部分組立体４００から切り離して示されている。締付け具３１５はボイスコイル組立体３５５およびオーディオスピーカー部分組立体４００から切り離して示されている。図示した実施例では、ボイスコイルがスピーカーの正面（すなわち、スピーカーから音声が出てきて聴取環境へ入る方向）から取り外せることは理解できよう。しかし、本発明はこれに限定されるものではなく、ある実施例では、ボイスコイルをスピーカーの背面から取り外すことができる。さらに、図示した実施例では、（以下の図６に示す実施例とは逆に）ボイスコイル組立体３５５が取り外された時に、振動板３１０が定位置にとどまるようにボイスコイル組立体を取り外すことができることは理解できよう。さらに、ある実施例では、ボイスコイル３２０を交換用のボイスコイルに交換することができ、ボイスコイル組立体３５５の他の全ての部品（すなわち、ボイスコイル３２０を除く全ての部品）は交換用のボイスコイルと一緒に使用できる。例えば、ボイスコイルのみの交換を容易にするのに適したＣ形クランプまたは他の取付技術を用いてボイスコイル３２０をボイスコイル組立体３５５に取り付けることができる。図４のスピーカー３００の部品は全て上記の図３Ａと同じため、これ以上の説明は省略する。
【００５１】
図５Ａおよび図５Ｂは本発明の特徴によって容易になるシステム再構成の一例を示すために合わせて説明する。図５Ａおよび図５Ｂはそれぞれスピーカーシステム５００および５５０の概念図である。図５Ａのスピーカーシステム５００は振動板５１２を作動するためにボイスコイル組立体５２０に電流を供給する増幅器５０５を含む。オーディオスピーカー５１０は本発明による取り外し可能なボイスコイルを有する任意のオーディオスピーカーにすることができる。
【００５２】
図５Ｂのスピーカーシステム５５０は図５Ａのスピーカーシステム５００の再構成である。スピーカーシステム５５０は同じ増幅器５０５を含んでいる。しかし、スピーカーシステム５５０では、ボイスコイル組立体５２０の代わりにボイスコイル組立体５２０’を用いてオーディオスピーカー５１０’を形成し、ボイスコイル５３２を有する第２オーディオスピーカー５３０を追加して、駆動装置５０５がオーディオスピーカー５１０’とオーディオスピーカー５３０の両方を駆動するようになっている。オーディオスピーカー５１０’およびオーディオスピーカー５３０は並列に配置されているが、本発明はこれに限定されるものではなく、スピーカー５１０’および５３０は直列に配置することもできる。
【００５３】
オーディオスピーカー５１０（図５Ａに示す）とオーディオスピーカー５１０’とはそれぞれ異なるボイスコイル組立体５２０および５２０’を有することを除いて同じである。ボイスコイル組立体５２０および５２０’はボイスコイル５２２とボイスコイル５２２’とが違う点で異なってさえいれば十分である（すなわち、支持体および／またはインターフェース部材部品は同じにすることができる）。しかし、これらは一般に、共通の部品を有していない（すなわち、組立体はそっくり交換される）。
【００５４】
例えば、増幅器５０５は４オームの増幅器とみなすことができ、図５Ａでは、ボイスコイル組立体５２０は４オームのインピーダンスを有することができる。図５Ｂでは、この４オームのボイスコイル組立体５２０の代わりに、８オームのボイスコイル組立体５２０’を用いることができ、さらに、８オームのボイスコイル組立体５３２を有する追加のオーディオスピーカー５３０をオーディオスピーカー５１０’と並列で追加することができ、ボイスコイル組立体５２０’とボイスコイル組立体５３２の合計インピーダンスが４オームになるようにする。変形例として、スピーカー５２０’および５３０が直列で使用される場合は、４オームのボイスコイル５２０の代わりに２オームのボイスコイル組立体を用いることができ、さらに、２オームのインピーダンスを有するようにオーディオスピーカー５３０を選択することができる。
【００５５】
スピーカーシステム５５０を形成するためのスピーカーシステム５００の再構成は、図２を参照して既に説明したように、ボイスコイル組立体５２０を取り外してボイスコイル組立体５２０’と交換できるようにオーディオスピーカー５１０に着脱自在に取り付けることによって、容易になることは理解できよう（例えば、リード１３０を選択およびハンダ付けする必要がなく、および／またはオーディオスピーカー５１０を分解および再組立する必要がない）。さらに、従来のスピーカーシステムでは、一般にオーディオスピーカー５１０を廃棄して、適切なインピーダンスを有するスピーカーシステムを選ぶが、ボイスコイル組立体５２０はオーディオスピーカー５１０のどの部品も壊すことなくユーザーがボイスコイル組立体５２０’と交換できるので、スピーカーシステム５５０を形成するためのスピーカーシステム５００の再構成を大幅に削減された費用で達成できることは理解できよう。
【００５６】
図６Ａおよび図６Ｂは、振動板６１０がボイスコイル６２０と一緒に取り外せる、本発明による着脱自在に取り付けられたボイスコイル６２０を有するオーディオスピーカーの実施例６００の側断面図である。図６Ｂでは、ボイスコイルおよび振動板が取り外されているように示されている。取り外し可能なボイスコイルが振動板と一緒に取り外される実施例は、取り外されて交換される（一つまたは複数の）追加の部品（例えば、ボイスコイルに加えて振動板）が生じるために、ある状況では望ましくないが、他の状況では望ましいこともある。
【００５７】
振動板６１０およびボイスコイル６２０を受ける位置でボイスコイル取付部６２５（例えばカラー）を支持するために第１スパイダー６６０を用いることができる。ある実施例では、ボイスコイル取付部３２５を維持する剛性を追加するために第２スパイダー６６１を追加することができる。ボイスコイル取付部６２５は上記の図３Ａのカラー３２５として動作することができる。例えば、ボイスコイル取付部６２５は磁極６５０を中心にセンタリングすることができる。ボイスコイル６２０との電気的接続を完了するためにリード６３０を追加することができる。この電気的接続は図３Ａおよび３Ｂを参照して説明したように行うことができる。
【００５８】
ある実施例では、振動板６１０およびボイスコイル６２０は互いに接続されてユニット６３３を形成し、互いに取外しおよび／または取付けができるようになっている。振動板６１０とボイスコイル６２０との間の接続は任意の適した技術（例えば機械的締付け具または接着剤）を用いて行うことができる。ある実施例では、振動板６１０がボイスコイル組立体６５５の支持体６２２および／またはダストキャップ６５７と一体化されている（例えば、振動板および支持体および／またはダストキャップが単一の成型品を形成する）。ボイスコイル６２０は振動板を機械的に駆動しているが、振動板６１０をボイスコイル組立体６２０に直接連結する必要はないことは理解できよう。例えば、ボイスコイル組立体６５５と振動板６１０の両方をボイスコイル取付部６２５に連結することができる。
【００５９】
ユニット６３３とオーディオスピーカー部分組立体６００との間の接続は上述のように任意の取り外し可能な技術を用いて行うことができる。例えば、振動板６１０を部分組立体６００に取り付けるための第１締付け具（一つまたは複数）６１５ａ、および、ダストキャップ３５７を部分組立体６００に取り付けるための第２締付け具６４５ｂ（一つまたは複数）。部分組立体が中に取り付けられているキャビネット（図示せず）から部分組立体を取り外すことができるように、両締付け具６１５ａおよび６１５ｂはスピーカーの正面から手が届くのが好ましい。ある実施例では、締付け具６１５ｂを取り外し、振動板６１０を物理的に曲げて移動させることによって、ダストキャップ３５７を部分組立体６００に取り付ける締付け具に、スピーカーの正面から手が届くようにすることができる。上記の相違点以外、実施例６００は上記の図３の実施例３００と同様である。
【００６０】
本発明はその用途において上記の説明または図面で示された構成の詳細および部品の配置に限定されるものではない。本発明は他の実施例にすることができ、且つ、種々の方法で実施または実行することができる。「含む」「備える」または「有する」、「収容する」、「伴う」および本明細書でのこれらの変形の使用はその後に挙げられる物品およびその均等物ならびに追加の物品を包含することを意味している。
【００６１】
以上、本発明の少なくとも一つの実施例の複数の特徴について述べたが、様々な変更、修正、および改良が容易に行われることは当業者には理解できよう。このような変更、修正、および改良は本発明の開示の一部であり、本発明の範囲に含まれるものである。従って、前述の説明および図面は単なる一例である。
【図面の簡単な説明】
【００６２】
【図１】ボイスコイルを用いることによって作動可能な振動板を有する従来のオーディオスピーカーシステムの側断面図。
【図２】部分的に組み立てられた従来のスピーカーシステムの側断面図。
【図３Ａ】本発明による着脱自在に取り付けられたボイスコイルを有するオーディオスピーカーの一実施例の側断面図。
【図３Ｂ】図３ＢのＡ領域の拡大側断面図。
【図４】本発明による着脱自在に取り付けられたボイスコイルを有するオーディオスピーカーのための組立側断面図。
【図５Ａ】本発明によるシステム再構成の一例を図解する、スピーカーシステムの概念図。
【図５Ｂ】本発明によるシステム再構成の一例を図解する、スピーカーシステムの概念図。
【図６Ａ】振動板がボイスコイルとともに取り外し可能である、本発明による着脱自在に取り付けられたボイスコイルを有するオーディオスピーカーの一実施例の側断面図。
【図６Ｂ】振動板およびボイスコイルが取り外されている状態の、図６Ａのオーディオスピーカーの実施例の側断面図。
【図１】
2007503178.tif 000003
【図２】
2007503178.tif 000004
【図３Ａ】
2007503178.tif 000005
【図３Ｂ】
2007503178.tif 000006
【図４】
2007503178.tif 000007
【図５Ａ】
2007503178.tif 000008
【図５Ｂ】
2007503178.tif 000009
【図６Ａ】
2007503178.tif 000010
【図６Ｂ】
2007503178.tif 000011
【国際調査報告】
2007503178.tif 000012